(57)【要約】【課題】ピクチャーレールの設置で室内の美観が損われるのを防ぐことができる、天井と壁面との境界部分の構造及び回り縁を提供する。【解決手段】天井１と壁面２との境界部分に回り縁３が取り付けられ、該回り縁３と壁面２との間に、下方に開いて回り縁の長手方向に延びる溝６が設けられ、該溝６はピクチャーレール７を収容できるサイズのものからなり、該溝６にピクチャーレール７が設置されている。【選択図】      図１
2005240435.tif 000002
【特許請求の範囲】
【請求項１】
天井と壁面との境界部分に回り縁が取り付けられ、該回り縁と壁面との間又は回り縁に、下方に開いて回り縁の長手方向に延びる溝が設けられ、該溝はピクチャーレールを収容できるサイズのものからなることを特徴とする天井と壁面との境界部分の構造。
【請求項２】
前記溝にピクチャーレールが設置されている請求項１に記載の天井と壁面との境界部分の構造。
【請求項３】
壁面との間に下方に開いて長手に延びる溝を形成する部分が備えられか、又は、それ自身に下方に開いて長手に延びる溝が備えられ、
前記溝はピクチャーレールを収容できるサイズのものからなることを特徴とする回り縁。
【発明の詳細な説明】
【技術分野】
【０００１】
本発明は、天井と壁面との境界部分の構造及び回り縁に関する。
【背景技術】
【０００２】
住宅等の室内において、壁面に絵などを飾るため、天井と壁面との境界部分にピクチャーレールを取り付けることがあるが、ピクチャーレールは、天井と壁面との境界部分の長手方向の必要な一部分にのみ設置されることが多く、そのため、設置されたピクチャーレールが見苦しく室内に露出して、室内の美観を損わせてしまう場合がある。
【発明の開示】
【発明が解決しようとする課題】
【０００３】
本発明は、上記のような問題点に鑑み、ピクチャーレールの設置で室内の美観が損われるのを防ぐことができる、天井と壁面との境界部分の構造及び回り縁を提供することを課題とする。
【課題を解決するための手段】
【０００４】
上記の課題は、天井と壁面との境界部分に回り縁が取り付けられ、該回り縁と壁面との間又は回り縁に、下方に開いて回り縁の長手方向に延びる溝が設けられ、該溝はピクチャーレールを収容できるサイズのものからなることを特徴とする天井と壁面との境界部分の構造によって解決される。
【０００５】
この構造では、ピクチャーレールの設置を行う場合は、回り縁と壁面との間に設けられた溝、又は、回り縁に備えられた溝を利用し、該溝内にピクチャーレールを設置することで、ピクチャーレールを回り縁で隠すことができ、ピクチャーレールの設置で室内の美観が損われるのを防ぐことができる。
【０００６】
上記の構造において、前記溝にピクチャーレールが設置されている場合は、該ピクチャーレールは回り縁で隠され、設置されているピクチャーレールによって室内の美観が損われるのを防ぐことができる。
【０００７】
また、上記の構造において、天井側と壁面側とにそれぞれクロスが貼られ、これらクロスの継ぎ目部分が天井と壁面との境界部分に存在し、前記回り縁が、該継ぎ目部分を背後にして取り付けられている場合は、天井側のクロス及び／又は壁面側のクロスが、天井と壁面との境界部分における継ぎ目部分で見苦しく剥がれてしまうのを回り縁で防ぐことができ、施工後のクロスに関するクレームや補修をなくす、あるいは、少なくすることができる。
【０００８】
更に、上記の課題は、壁面との間に下方に開いて長手に延びる溝を形成する部分が備えられか、又は、それ自身に下方に開いて長手に延びる溝が備えられ、
前記溝はピクチャーレールを収容できるサイズのものからなることを特徴とする回り縁によって同様に解決される。即ち、この回り縁を天井と壁面との境界部分に取り付け、溝内にピクチャーレールを設置することにより、ピクチャーレールは回り縁で隠され、ピクチャーレールの設置で室内の美観が損われるのを防ぐことができる。
【発明の効果】
【０００９】
本発明は、以上のとおりのものであるから、ピクチャーレールの設置で室内の美観が損われるのを防ぐことができる。
【発明を実施するための最良の形態】
【００１０】
次に、本発明の実施最良形態を図面に基づいて説明する。
【００１１】
図１〜図３に示す実施形態の構造において、１は天井、２は壁面、３は回り縁である。図２に示すように、天井１側と壁面２側にはそれぞれ、クロス４，５が貼られ、天井１側のクロス４と壁面２側のクロス５との継ぎ目部分は、天井１と壁面２との境界部分に位置しており、回り縁３は、天井１と壁面２との境界部分に対し、クロス４，５の継ぎ目部分を背後にし、該継ぎ目部分を押さえるようにして、接着剤などで取り付けられている。
【００１２】
そして、この回り縁３には、その下面側から壁面２側にわたって切欠き３ａが設けられており、回り縁３を天井１と壁面２との境界部分に取り付けることで、回り縁３と壁面２との間に、下方に開いて長手方向に延びる溝６が形成されるようになされている。この溝６が、図１（ハ）及び図３に示すように、ピクチャーレール７を収容できるサイズのものからなっている。
【００１３】
一方、ピクチャーレール７は、リップ付き溝型材からなってリップ間開口部を下向きにして用いられるもので、内部にスライダー７ａがセットされ、スライダー７ａからリップ間開口部を通じて垂れ下げられたフック７ｂに、ワイヤーなどを介して絵画を掛けることができるようになされている。
【００１４】
そして本実施形態では、ピクチャーレール７が、予め、回り縁３によって形成される溝６内の長手方向の一部分に設置され、ビス８で天井１側の下地に取り付けられている。
【００１５】
上記の構造によれば、ピクチャーレール７は、回り縁３と壁面２との間に形成された溝６内に設置されて取り付けられているので、必要な部分、即ちフック７ｂの垂れ下がる下面側、を除いて回り縁３で隠され、そのため、設置されたピクチャーレール７で室内の美観が損われるのを防ぐことができる。
【００１６】
しかも、本実施形態では、回り縁３は、天井１側のクロス４と壁面２側のクロス５との継ぎ目部分を背後にするようにして取り付けられているので、天井１側のクロス４及び／又は壁面２側のクロス５が、それらの継ぎ目部分で見苦しく剥がれてしまうのを防ぐことができ、施工後のクロスに関するクレームや補修をなくす、あるいは、少なくすることができる。
【００１７】
以上に、本発明の実施形態を示したが、本発明はこれに限られるものではなく、発明思想を逸脱しない範囲で各種の変更が可能である。例えば、上記の実施形態では、ピクチャーレール設置用の溝６を回り縁３と壁面２との間に形成した場合を示しているが、図４に示すように、回り縁３それ自身に、ピクチャーレール設置用の溝６を形成しておくようにするのもよい。
【００１８】
また、上記の実施形態では、ピクチャーレール７が予め溝６内に設置されている場合を示したが、ピクチャーレール７を将来的に設置できるように、ピクチャーレールなしで回り縁３のみを天井１と壁面２との境界部分に取り付けておくようにするのもよい。
【００１９】
更に、本発明は、壁面と天井のいずれか一方にクロスが貼られている場合や、いずれにもクロスが貼られていない場合の天井と壁面との境界部分の構造として構成することも可能である。
【図面の簡単な説明】
【００２０】
【図１】実施形態の天井と壁面との境界部分の構造を示すもので、図（イ）はクロスを分離状態にして示す断面図、図（ロ）は回り縁を取り付けた状態の断面図、図（ハ）はピクチャーレールを取り付けた状態の断面図である。
【図２】図（イ）は回り縁を分離状態にして示す断面斜視図、図（ロ）は回り縁を取り付けた状態の断面斜視図である。
【図３】図（イ）は、ピクチャーレールを分離状態にして示す断面斜視図、図（ロ）はピクチャーレールを取り付けた状態の断面斜視図である。
【図４】他の実施形態を示すもので、図（イ）は回り縁の断面斜視図、図（ロ）は回り縁を取り付けた状態の断面図、図（ハ）はピクチャーレールを取り付けた状態の断面図である。
【符号の説明】
【００２１】
１…天井
２…壁面
３…回り縁
４，５…クロス
６…溝
７…ピクチャーレール
【図１】
2005240435.tif 000003
【図２】
2005240435.tif 000004
【図３】
2005240435.tif 000005
【図４】
2005240435.tif 000006